(57)【要約】【課題】降温用噴霧システムで使用される給水管を景観や意匠に悪影響を及ぼすことなく配置することができると共に、外力による給水管の損傷を抑制することができる降温水噴霧用配管を備えるパネルを提供すること。【解決手段】一対の面材１と面材１間に配置される補強材２からなるパネルＰにおいて、補強材２にパネルＰの外方に開口する凹溝３を設け、凹溝３内に噴霧用ノズル６を有する給水管１０を配設する。凹溝３内に給水管１０を固定するための固定用リブ２０を突設し、給水管１０を保持する保持板２２と固定用リブ２０とを固定ねじ２４で固定する。凹溝３の開口側に、噴霧用ノズル６が露出可能な開口部を有するカバー材７を嵌装する。【選択図】  図５
2011149587.tif 000002
【特許請求の範囲】
【請求項１】
一対の面材と当該面材間に配置される補強材からなるパネルにおいて、
上記補強材は上記パネルの外方に開口する凹溝を有しており、
上記凹溝内に、噴霧用ノズルを有する給水管が配設されている、
ことを特徴とする降温水噴霧用配管を備えるパネル。
【請求項２】
上記凹溝の開口側に、上記噴霧用ノズルが露出可能な開口部を有するカバー材を嵌装してなる、
ことを特徴とする請求項１記載の降温水噴霧用配管を備えるパネル。
【請求項３】
上記凹溝内に固定片を突設し、上記給水管を保持する保持部材と上記固定片とを固定部材で固定してなる、
ことを特徴とする請求項１又は２に記載の降温水噴霧用配管を備えるパネル。
【請求項４】
上記固定片は上記補強材と一体に形成されている、
ことを特徴とする請求項３記載の降温水噴霧用配管を備えるパネル。
【請求項５】
上記凹溝内に下地材を配設すると共に、該下地材を凹溝内の底面と側面において、固定部材により固定し、
上記給水管を保持する保持部材と上記下地材とを固定部材で固定してなる、
ことを特徴とする請求項１又は２に記載の降温水噴霧用配管を備えるパネル。
【請求項６】
一対の面材と当該面材間に配置される補強材からなるパネルにおいて、
上記補強材の長手方向に沿って形材が連結されており、
上記形材は上記パネルの外方に開口する凹溝を有しており、
上記凹溝内に噴霧用ノズルを有する給水管が配設されている、
ことを特徴とする降温水噴霧用配管を備えるパネル。
【請求項７】
上記凹溝の開口側に、上記噴霧用ノズルが露出可能な開口部を有するカバー材を嵌装してなる、
ことを特徴とする請求項６記載の降温水噴霧用配管を備えるパネル。
【請求項８】
上記凹溝内に固定片を突設し、上記給水管を保持する保持部材と上記固定片とを固定部材で固定してなる、
ことを特徴とする請求項６又は７に記載の降温水噴霧用配管を備えるパネル。
【請求項９】
上記固定片は上記形材と一体に形成されている、
ことを特徴とする請求項８記載の降温水噴霧用配管を備えるパネル。
【請求項１０】
上記凹溝内に下地材を配設すると共に、該下地材を凹溝内の底面と側面において、固定部材により固定し、
上記給水管を保持する保持部材と上記下地材とを固定部材で固定してなる、
ことを特徴とする請求項６又は７に記載の降温水噴霧用配管を備えるパネル。
【発明の詳細な説明】
【技術分野】
【０００１】
この発明は、降温水噴霧用配管を備えるパネルに関するものである。
【背景技術】
【０００２】
従来、屋外あるいは屋内における、低コストで且つ高効率な降温・冷房システムとして、加圧された水をミストとして噴射し、ミストの蒸散による気化熱により対象の空間の温度を低下させる降温用噴霧システムが知られている。従来の降温用噴霧システムは、ミストを噴射する噴霧ノズルと、その噴霧ノズルに加圧水を供給するポンプと、ポンプから噴霧ノズルに加圧水が給水される給水管とで主に構成されている（例えば、特許文献１参照）。
【先行技術文献】
【特許文献】
【０００３】
【特許文献１】特開２００６−１７７５７５号公報
【発明の概要】
【発明が解決しようとする課題】
【０００４】
しかしながら、特許文献１記載の降温用噴霧システムにおいては、噴霧ノズルに加圧された水を供給するために高強度の給水管が必要となる。特に、加圧水を供給するポンプと降温・冷房の対象空間が離れている場合、あるいは降温・冷房の対象空間が広範囲な場合には必要とされる給水管は非常に長く複雑なものとなる。
【０００５】
このような場合、給水管が露出していると周囲の景観や意匠に悪影響を及ぼすだけでなく、露出した給水管が外力により損傷を受ける虞がある。
【０００６】
この発明は、上記事情に鑑みてなされたもので、降温用噴霧システムで使用される給水管を景観や意匠に悪影響を及ぼすことなく配置することができると共に、外力による給水管の損傷を抑制することができる降温水噴霧用配管を備えるパネルを提供することを目的とする。
【課題を解決するための手段】
【０００７】
上記課題を解決するために、第１の発明は、一対の面材と当該面材間に配置される補強材からなるパネルにおいて、上記補強材は上記パネルの外方に開口する凹溝を有しており、上記凹溝内に、噴霧用ノズルを有する給水管が配設されている、ことを特徴とする。
【０００８】
このように構成することにより、降温用噴霧システムで使用される給水管を、パネルを構成する補強材の凹溝内に配設することができる。
【０００９】
この場合、上記凹溝の開口側に、上記噴霧用ノズルが露出可能な開口部を有するカバー材を嵌装する方がよい。
【００１０】
このように構成することにより、上記凹溝の開口部をカバー材により閉室して凹溝内の給水管を外部から覆うことができる。
【００１１】
第２の発明は、一対の面材と当該面材間に配置される補強材とを具備するパネルにおいて、上記補強材の長手方向に沿って形材が連結されており、上記形材は上記パネルの外方に開口する凹溝を有しており、上記凹溝内に、噴霧用ノズルを有する給水管が配設されている、ことを特徴とする。
【００１２】
このように構成することにより、既存のパネルに形材を連結して降温用噴霧システムで使用される給水管を形材の凹溝内に配設することができる。
【００１３】
この場合、上記凹溝の開口側に、上記噴霧用ノズルが露出可能な開口部を有するカバー材を嵌装する方がよい。
【００１４】
このように構成することにより、上記凹溝の開口部をカバー材により閉塞して凹溝内の給水管を外部から覆うことができる。
【００１５】
また、第１又は第２の発明において、上記補強材又は形材の凹溝内に固定片を突設し、上記給水管を保持する保持部材と上記固定片とを固定部材で固定する方が好ましい。この場合、上記固定片は補強材又は形材と別体であっても差し支えないが、好ましくは固定片を補強材又は形材と一体に形成する方がよい。
【００１６】
このように構成することにより、パネルを構成する補強材又は形材の凹溝内に給水管を容易かつ確実に固定することができる。
【００１７】
また、第１又は第２の発明において、上記補強材又は形材の凹溝内に下地材を配設すると共に、該下地材を凹溝内の底面と側面において、固定部材により固定し、上記給水管を保持する保持部材と上記下地材とを固定部材で固定する方が好ましい。
【００１８】
このように構成することにより、給水管を保持する保持部材を固定する下地材の強度を向上させることができる。
【発明の効果】
【００１９】
この発明によれば、上記のように構成されているので、以下のような顕著な効果が得られる。
【００２０】
（１）降温用噴霧システムで使用される給水管を、パネルを構成する補強材の凹溝内に配設することができるので、給水管の露出部分を減らし、視覚による認識がされにくいため、降温用噴霧システムで使用される給水管を景観や意匠に悪影響を及ぼすことなく配置することができると共に、外力による給水管の損傷を抑制することができる。また、上記凹溝の開口側にカバー材を嵌装することにより、凹溝の開口部をカバー材により閉塞して凹溝内の給水管を外部から覆うことができるので、給水管を景観や意匠に悪影響を及ぼすことなく配置することができると共に、給水管の損傷を抑制することができる。
【００２１】
（２）降温用噴霧システムで使用される給水管を、既製のパネルに組付けられた形材の凹溝内に配設することができるので、給水管の露出部分を減らし、視覚による認識がされにくいため、降温用噴霧システムで使用される給水管を景観や意匠に悪影響を及ぼすことなく配置することができると共に、外力による給水管の損傷を抑制することができる。また、上記凹溝の開口側にカバー材を嵌装することにより、凹溝の開口部をカバー材により閉塞して凹溝内の給水管を外部から覆うことができるので、給水管を景観や意匠に悪影響を及ぼすことなく配置することができると共に、給水管の損傷を抑制することができる。
【００２２】
（３）パネルを構成する補強材又はパネルに連結される形材の凹溝内に突設される固定片と、給水管を保持する保持部材とを固定部材で固定することにより、パネルと給水管を容易かつ確実に固定することができるので、上記（１），（２）に加えて、さらにパネルと給水管の取付作業を容易にすることができると共に、パネルと給水管の固定の安定性及び耐久性が向上する。また、パネルと給水管の取り外しが可能となるので、給水管の交換及びメンテナンスの向上が図れる。
【００２３】
（４）パネルを構成する補強材又はパネルに連結される形材の凹溝内に下地材を配設すると共に、該下地材を凹溝内の底面と側面において、固定部材により固定し、給水管を保持する保持部材と下地材とを固定部材で固定することにより、給水管を保持する保持部材を固定する下地材の強度を向上させることができるので、上記（１）〜（３）に加えて、さらにパネルと給水管の固定の安定性及び耐久性が向上する。
【図面の簡単な説明】
【００２４】
【図１】この発明に係るパネルを使用した降温用噴霧システムの一例を示す概略斜視図である。
【図２】この発明に係るパネルを使用した降温用噴霧システムの一例を示す正面図である。
【図３】この発明に係るパネルを使用した降温用噴霧システムの一例を示す側面図である。
【図４】この発明に係るパネルの第１実施形態の要部を示す底面図である。
【図５】図２のI−I線に沿う断面図（ａ）及びこの発明における保持部材を示す断面図（ｂ）及びこの発明におけるカバー材の嵌合部を示す要部断面図（ｃ）である。
【図６】この発明に係るパネルの吊持部を示す要部拡大断面図（ａ）及び（ａ）のII−II線に沿う断面図（ｂ）である。
【図７】この発明における給水管の別の固定部を示す断面図（ａ）及びこの発明における保持部材を示す断面図（ｂ）である。
【図８】この発明における給水管のさらに別の固定部を示す断面図（ａ）及びこの発明における保持部材を示す断面図（ｂ）である。
【図９】この発明における給水管のさらに別の固定部を示す断面図である。
【図１０】この発明における給水管のさらに別の固定部を示す断面図である。
【図１１】この発明に係るパネルの第２実施形態を示す要部断面図である。
【図１２】この発明に係る２枚のパネルの連結部を示す平面図である。
【図１３】図１２のIII−III線に沿う断面図である。
【発明を実施するための形態】
【００２５】
以下に、この発明に係るパネルの実施形態を添付図面に基づいて詳細に説明する。ここでは、この発明に係る降温水噴霧用配管を備えるパネル（以下にパネルという）を降温用噴霧システムに適用した場合について説明する。
【００２６】
＜第１実施形態＞
図１ないし図３に示すように、この発明に係るパネルＰを使用した降温用噴霧システムにおいて、視覚により把握される外観は、地上から立設された２本の柱４０と、２本の柱４０の上端から互いに平行な水平方向に連結された２本の片持梁４３と、両片持梁４３の先端部と基端部間にそれぞれ連結される２本の小梁４２と、片持梁４３と小梁４２に吊持されるこの発明に係る矩形平板状のパネルＰである。そして、パネルＰの下に立って見上げると、複数の噴霧用ノズル６がパネルＰ裏面の開口部に設置されているのが確認できる。
【００２７】
その一方、噴霧用ノズル６に加圧された水を供給する給水管１０は外部に露出していないため、外観上確認されることはない。２本の柱４０とパネルＰで仕切られた空間は、例えば歩行者が通過可能な通路であり、例えばバスの停留所で乗客が待ち時間を過ごすために提供されるスペースである。パネルＰは日陰を提供するだけではなく、その底面には、図４に示すように、複数の噴霧用ノズル６が設置されており、各噴霧用ノズル６から加圧された水をミストとして噴射し、ミストの蒸散による気化熱により上記空間の温度を低下させることが可能である。また、噴霧用ノズル６からのミストに温水を用いる或いは薬剤を添加する等により上記空間の加湿及びウィルスの予防対策が図れる。
【００２８】
この場合、上記柱４０は、表面に例えばポリウレタン樹脂が塗布された円筒鋼管が使用されている。柱４０は図１，図２に示したように、２本の柱４０が左右方向に間隔を開け、土中に埋設されたコンクリート基礎４１に下端を埋め込んで固定され垂直に立てられている。各柱４０の上端からは互いに平行な水平方向に、表面に例えばポリウレタン樹脂が塗布されたＨ型鋼からなる片持梁４３が連結されている。両片持梁４３の先端部と基端部間には、表面に例えばポリウレタン樹脂が塗布されたＨ型鋼からなる小梁４２が連結されている。なお、本実施形態においては、２本の柱４０を例に挙げて説明するが、冷却する空間の広さに合わせて適宜柱４０の本数を決定すればよい。
【００２９】
上記のように円筒鋼管で形成される柱４０の内部には給水管１０が配管されている。給水管１０は、例えばステンレス製の円筒管が使用されている。給水管１０は、両端がねじ切りされた円筒管にて形成されており、Ｌ字形継手１１やＴ字形継手１２を介して接続されている。給水管１０は、図４に示すように、両端にねじ切りされた２本の円筒管をＬ字形継手１１と螺合することにより、直角に接続することが可能であり、また、３本の円筒管とＴ字形継手１２とを螺合することにより、給水管１０をＴ字状に接続すること可能である。給水管１０はＬ字形継手１１、Ｔ字形継手１２を利用して、加圧水供給器４４から噴霧用ノズル６まで配管される。
【００３０】
まず、加圧水供給器４４から配管された給水管１０は、柱４０の下端部付近より柱４０の内部に挿入され、柱４０上端部付近の側壁の開口部から、Ｌ字形継手１１を介して直角に屈曲されて柱４０の外部に配管される。給水管１０が柱４０の内部に配管されることにより、給水管１０の露出部分をなくし、景観や意匠に悪影響を及ぼすことなく配置することができると共に、給水管１０が外力により損傷を受けにくくすることができる。
【００３１】
図４に示すように、柱４０上端部付近の側壁の開口部から柱４０の外部に配管された給水管１０は、次にパネルＰの柱４０側に設けられた軒樋５０の側壁に設けられた開口部より、軒樋５０内に配管される。
【００３２】
この場合、軒樋５０は、図５（ａ）に示すように、流水路を有する樋であって、パネルＰの柱４０側の辺に沿って配置されている。軒樋５０は、連結用の互いに平行な水平状の上、下係止片５１ｂ，５１ｃを側壁に有するアルミニウム製の押出形材からなるチャンネル形状の枠材５１と、枠材５１の底に嵌挿されるアルミニウム製の押出形材からなるチャンネル形状の下地５２と、給水管１０の配管空間を確保するアルミニウム製の押出形材からなる断面ハット形状の樋底板５３と、枠材５１の両側壁５１ａと樋底板５３との隙間に充填されるシーリング材５４とで主に構成されている。図２，図３に示すように、軒樋５０の長手方向の両端部には、軒樋５０の流水路に溜まった雨水を排水するための竪樋５５が接続されている。この竪樋５５は柱４０に固定されている。
【００３３】
軒樋５０内に配設される給水管１０は、図５（ａ）に示すように、固定バンド３０Ａと下地５２にて挟持され、固定ねじ２４により固定される。給水管１０を固定した下地５２と樋底板５３は固定ねじ２４により固定されている。樋底板５３とシーリング材５４で形成された流水路を雨水は流れ、柱４０に固定された樫樋５５により地上に排出する。
【００３４】
軒樋５０内に配管された給水管１０は軒樋５０の中央付近でＬ字形継手１１を介して直角に接続され、軒樋５０の端部方向に向かって下地５２と樋底板５３により形成された空間を通り、さらにＬ字形継手１１を介して直角に接続され軒樋５０の側壁に設けられた開口部から軒樋５０の外部に出る。
【００３５】
なお、図４，図５（ａ）に示すように、柱４０の開口部から外部に出て軒樋５０内部に入るまで給水管１０が露出しないように、貫通部カバー５６を設けてある。貫通部カバー５６は柱４０の開口部や軒樋５０開口部からその内部に雨水等が侵入するのを防止することができる。
【００３６】
図４に示すように、軒樋５０の側壁に設けられた開口部より外部に出た給水管１０は、次にパネルＰの補強材２に設けられた開口部（図示せず）を介して補強材２の凹溝３内に配管される。
【００３７】
上記パネルＰは、図１，図４，図５（ａ）に示すように、矩形平板状のアルミニウム製の一対の面材１と、面材１間の周辺に配置されるアルミニウム製の押出形材にて形成される補強材２と、面材１と補強材２とで形成される空間に介在されるアルミニウム製のコア材１５と、で形成されている。この場合、コア材１５は中空筒状のコア単体を集合させて形成されている。パネルＰは、面材１と補強材２とコア材１５とを一体ろう付けしたろう付けハニカムパネルにて形成されている。
【００３８】
なお、パネルＰの平面の６箇所には、後述するブラケット１６を取り付けるための補強部材６０が埋設されている（図６参照）。ブラケット１６はＴ字状に形成されており、パネルＰの面材１における補強部材６０の上方位置にボルト６１によって固定されている。
【００３９】
補強材２は、図５（ａ）に示すように、仕切壁４によって区画された中空部５と、仕切壁４と対向する側壁９とを有し、面方向に開口する凹溝３部を有している。パネルＰの凹溝３部を構成する仕切壁４と側壁９の対向する部位には給水管１０を固定するための固定片である固定用リブ２０が突設されている。この場合、固定用リブ２０は凹溝３の一方の側壁９を構成する仕切壁４の中間部から水平方向に突設されている。
【００４０】
給水管１０をパネルＰへ配設するには、まず、図５（ｂ）に示すように、先端に保持用のループ部３７を有する保持部材である固定バンド３０のループ部３７にて給水管１０を保持する。次に、固定バンド３０の基部を固定用リブ２０に当接し、この状態で固定用リブ２０と固定バンド３０とを固定部材である固定ねじ２４によって固定する。このように給水管１０を固定することにより、パネルＰと給水管１０を確実に固定することができる。なお、給水管１０を交換する場合や点検する場合は、固定ねじ２４を緩めて、給水管１０の交換、点検等を行うことができる。
【００４１】
凹溝３内に給水管１０を配設した後に、凹溝３の開口部にアルミニウム製のカバー材７を嵌装する。この場合、カバー材７には、図４に示すように、噴霧用ノズル６の露出が可能になるように、噴霧用ノズル６が設置される位置において開口部である長孔８が設けられている。この場合、カバー材７はチャンネル状に形成され、図５（ｃ）に示すように、対峙する両起立片７ａの先端部には対向する内方側に向かって「く」字状に屈曲する係止爪部７ｂが設けられている。一方、補強材２の凹溝３の開口側両側壁には、係止爪部７ｂが係脱可能な、断面略三角形状の係止突条３ａが突設されている。
【００４２】
上記ように形成されたカバー材７の係止爪部７ｂを、補強材２の凹溝３の開口側に設けられた係止突条３ａにスナップ嵌合することによって、カバー材７を凹溝３の開口部に嵌装することができる。また、カバー材７を凹溝３の開口部から取り外す場合は、カバー材７と凹溝３の隙間に例えばドライバ等の工具を差し込んで、係止爪部７ｂと係止突条３ａの嵌合を解除することによりカバー材７を取り外すことができる。
【００４３】
なお、パネルＰの短手方向の凹溝３に嵌装されるカバー材７Ａには、噴霧用ノズル６は設置されていないため、長孔８は設ける必要はない。凹溝３にカバー材７，７Ａを嵌装することにより、パネルＰの下方からパネルＰを見上げても、カバー材７により、給水管１０を外部から目隠しでき、給水管１０を景観や意匠に悪影響を及ぼすことなく配置することができる。
【００４４】
パネルＰ内に配管される給水管１０は、図４に示すように、Ｔ字形継手１２を介することにより、パネルＰの長手方向の手前側の端部と短手方向の端部に沿って２本の給水管１０に分岐する。そして、パネルＰの短手方向の端部に沿って分岐された給水管１０は、Ｌ字形継手１１を介して直交状に接続され、長手方向の奥手側の端部に沿って配管される。上記のように短手方向の一方の端部から他方の端部まで配管された長手方向に沿う２本の給水管１０には、所定の間隔毎に噴霧用ノズル６が設置されている。本実施形態では、図２に示すように、パネルＰの長手方向に沿ってそれぞれ６個、計１２個の噴霧用ノズル６が設置されている。なお、冷却する空間を広くするために、柱４０の本数を増やす場合は、パネルＰの端部まで配管された給水管１０をさらに延長し、隣のパネルＰの長手方向の端部凹溝３内に配管すればよい。
【００４５】
なお、パネルＰは、図１及び図６に示すように、パネルＰの上面に取り付けられた６個のブラケット１６と片持梁４３と小梁４２に垂下された取付ブラケット４５とをボルト４６ａとナット４６ｂによって連結することにより、片持梁４３と小梁４２に吊持固定される。
【００４６】
また、図５（ａ）に示すように、パネルＰと軒樋５０は、アルミニウム製の押出形材からなるチャンネル状の連結部材５８を介して連結されている。この場合、連結部材５８は、垂直片５８ａの上下端部に互いに平行な上部係止片５８ｂと下部係止片５８ｃを有しており、上部係止片５８ｂと下部係止片５８ｃの下面にはそれぞれ互いに平行な凹凸細条５８ｄが形成されている。
【００４７】
パネルＰと軒樋５０を連結するには、まず、連結部材５８の垂直片５８ａをねじ５９によって補強材２の側壁９の外側面に固定する。次に、固定された連結部材５８の上部係止片５８ｂの上面に軒樋５０の上部係止片５１ｂを載置すると共に、連結部材５８の下部係止片５８ｃの下面に軒樋５０の下部係止片５１ｃを当接した状態で、連結ねじ５９によって連結部材５８の上部係止片５８ｂと軒樋５０の上部係止片５１ｂを固定すると共に、連結部材５８の下部係止片５８ｃと軒樋５０の下部係止片５１ｃを固定することによってパネルＰと軒樋５０とを連結する。
【００４８】
なお、パネルＰと軒樋５０の連結部に生じる隙間は、雨水やゴミ等がたまらないように、シーリング材５４が充填されている。上記のように構成することにより、軒樋５０とパネルＰの連結部についても給水管１０が露出することはない。
【００４９】
また、図５（ａ）に示すように、パネルＰの先端側の補強材２には、アルミニウム製の押出形材にて形成される先端が鋭角となる中空三角形状の軒先化粧材５７は上述した連結部材５８を介して連結されている。この場合、軒先化粧材５７は、先端が鋭角となる中空三角形状の基部５７ａと、基部５７ａの垂直片５７ｂの下端に延在する垂下片５７ｃと、垂直片５７ｂの外側面の中間部から水平にされる上部係止片５７ｄと、垂直片５７ｂの外側面の下部から水平にされ、上部係止片５７ｄと平行な下部係止片５７ｅとを有している。
【００５０】
上記のように形成される軒先化粧材５７とパネルＰを連結するには、まず、連結部材５８の垂直片５８ａをねじ５９によって補強材２の側壁９の外側面に固定する。次に、固定された連結部材５８の上部係止片５８ｂの上面に軒先化粧材５７の上部係止片５７ｄを載置すると共に、連結部材５８の下部係止片５８ｃの下面に軒先化粧材５７の下部係止片５７ｅを当接した状態で、連結ねじ５９によって連結部材５８の上部係止片５８ｂと軒先化粧材５７の上部係止片５７ｄを固定することによってパネルＰと軒先化粧材５７とを連結する。
【００５１】
上記のように、軒先化粧材５７を設けることにより、降温用噴霧システムの外観を向上すると共に、水切りを良くすることにより軒先からの雨水のボタ落ちを防止することができる。
【００５２】
なお、図５（ａ）に示すようにパネルＰと軒先化粧材５７の隙間の上面はシーリング材５４が充填されて、内部側への汚水等の浸入を阻止している。また、図３に示すように例えば水勾配２／１００を設けることにより、パネルＰ上部に溜まった雨水を軒樋５０に設けられた樫樋５５により効率よく地上に排水することができる。
【００５３】
上記のように構成することにより、降温用噴霧システムで使用される給水管１０をパネルＰの凹溝３内に配設し、パネルＰの凹溝３開口にカバー材７を嵌装することにより、給水管１０の露出部分をなくし、視覚による認識がされにくいため、降温用噴霧システムで使用される給水管１０を景観や意匠に悪影響を及ぼすことなく配置することができる。また、給水管１０が、パネルＰとカバー材７により覆われているため、給水管１０自体が外力により損傷を受けにくい。さらに、パネルＰによって噴霧用ノズル６から噴射されるミストの上方側への飛散を抑制することにより、ミストの蒸散による降温効果を高めることができる。
【００５４】
＜第２実施形態＞
第１実施形態は、補強材２が仕切壁４によって区画された１の中空部５と、仕切壁４と対向する側壁９とを有し、パネルＰの面方向に開口する凹溝３部を有している場合について説明したが、凹溝３部の機能を有する他の部材を既存のパネルに連結させてもよい。例えば図１１に示すように、既存のパネルＰＡに形材３５を連結してもよい。
【００５５】
第２実施形態において、パネルＰＡは、図１１に示すように、矩形平板状のアルミニウム製の一対の面材１と、面材１間の周辺に配置されるアルミニウム製の押出形材にて形成される補強材２Ａと、面材１と補強材２Ａとで形成される空間に介在されるアルミニウム製のコア材１５と、で形成される。この場合、補強材２Ａは、区画された断面矩形状の中空部５Ａと、パネルＰＡの側面を形成する側壁９Ａと、側壁９Ａに設けられた連結用の上部Ｌ形係止片３６ａと下部Ｌ形係止片３６ｂと、からなる。パネルＰＡは、面材１と補強材２Ａとコア材１５とを一体ろう付けしたろう付けハニカムパネルにて形成されている。
【００５６】
形材３５はアルミニウム製の押出形材にて形成されるチャンネル状に形成されており、右壁３５ｃと対向する左壁３５ｄを有し、連結されるパネルＰＡの面方向に開口する凹溝３Ａ部を有している。形材３５の凹溝３Ａ部を構成する右壁３５ｃには、給水管１０を固定するための固定片である固定用リブ２０Ａが突設されている。この場合、固定用リブ２０Ａは凹溝３Ａの右壁３５ｃの中間部から水平方向に突設されている。右壁３５ｃの外面には、連結用の互いに平行な水平状の上、下係止片３５ａ，３５ｂが突設されている。なお、左壁３５ｄは、パネルＰＡを使用した降温用噴霧システム全体における左側の端部に位置するが、図１１に示すように、化粧庇片３５ｅを左壁３５ｃ外面にさらに設けてもよい。
【００５７】
給水管１０をパネルＰＡに配設するには、最初に形材３５とパネルＰＡを連結させる。この場合、図１１に示すように、形材３５とパネルＰＡは、上述の連結部材５８を介して連結されている。まず、連結部材５８の垂直片５８ａをねじ５９によって補強材２Ａの下部Ｌ型係止片３６ｂに固定する。次に、固定された連結部材５８の上部係止片５８ｂの上面に形材３５の上部係止片３５ａを載置すると共に、連結部材５８の下部係止片５８ｃの下面に形材３５の下部係止片３５ｂを当接した状態で、連結ねじ５９によって連結部材５８の上部係止片５８ｂと形材３５の上部係止片３５ａ固定し、さらに、連結部材５８の下部係止片５８ｃと形材３５の下部係止片３５ｂを連結ねじ５９で固定する。これにより、形材３５とパネルＰＡとを連結することができる。なお、パネルＰと形材３５の隙間の上面はシーリング材５４が充填されて、内部側への汚水等の浸入を阻止している。
【００５８】
次に、給水管１０をパネルＰＡに連結された形材３５に配設する。まず、先端に保持用のループ部３７を有する保持部材である固定バンド３０のループ部３７にて給水管１０を保持する。次に、固定バンド３０の基部を形材の固定用リブ２０Ａに当接し、この状態で固定用リブ２０Ａと固定バンド３０とを固定部材である固定ねじ２４によって固定する。このように給水管１０を固定することにより、パネルＰと給水管１０を確実に固定することができる。なお、給水管１０を交換する場合や点検する場合は、固定ねじ２４を緩めて、給水管１０の交換、点検等を行うことができる。第２実施形態において、その他の部分は第１実施形態と同じであるので、同一部分には同一符号を付して説明を省略する。
【００５９】
上記のように構成することにより、降温用噴霧システムで使用される給水管１０を、既製のパネルＰＡに付設される形材３５の凹溝３Ａ内に配設し、形材３５の凹溝３Ａ開口にカバー材７を嵌装することにより、給水管１０の露出部分をなくし、視覚による認識がされにくいため、降温用噴霧システムで使用される給水管１０を景観や意匠に悪影響を及ぼすことなく配置することができる。また、給水管１０が、形材３５とカバー材７により覆われているため、給水管１０自体が外力により損傷を受けにくい。さらに、パネルＰＡによって噴霧用ノズル６から噴射されるミストの上方側への飛散を抑制することにより、ミストの蒸散による降温効果を高めることができる。さらに又、既製のパネルの一部に加工を施すのみで、降温用噴霧システムの一部を構築することができる。
【００６０】
なお、既に設置されているパネルＰＡに降温用噴霧システムを追加する場合、スペースが確保できない等の理由によりパネルＰＡの短手方向に形材３５を取り付けることができないことが予想される。そのような場合、図５に示すように、加圧水供給器４４から配管された給水管１０はパネルＰＡの上部を通るように配管し、形材の凹溝３Ａの底部に開口を設け、その開口部から形材３５の凹溝３Ａ部に給水管１０を配管すればよい。
【００６１】
＜その他の実施形態＞
第１実施形態では、凹溝３の仕切壁４の中間部から水平方向に固定用リブ２０を突設し、保持用のループ部３７を有する保持部材である固定バンド３０のループ部３７にて給水管１０を保持し、この状態で固定用リブ２０と固定バンド３０とを固定部材である固定ねじ２４によって固定する場合について説明したが、パネルＰと給水管１０を確実に固定することができれば、別の固定構造としてもよい。
【００６２】
例えば、図７に示すように、第１実施形態の補強材２とほぼ同様に形成される補強材２Ｂにおいて、パネルＰの凹溝３部を構成する仕切壁４と側壁９の対向する部位には給水管１０を固定するための固定片である固定用リブ２０と保持部２１が突設されている。この場合、固定用リブ２０は凹溝３の一方の側壁を構成する仕切壁４の中間部から水平方向に突設されている。一方、保持部２１は、凹溝３の他方の側壁９の中間部から水平方向に突設される２条のリブ２１ａ，２１ｂにて形成されており、上方に位置するリブ２１ａが固定用リブ２０と同一平面上に位置し、リブ２１ａとリブ２１ｂとの間隔が後述する保持板２２の厚みより若干大きくなっている。
【００６３】
給水管１０を補強材２Ｂから形成されるパネルＰＢへ配設するには、まず、図７（ｂ）に示すように、保持部材である保持板２２と固定バンド３０Ａにて給水管１０を挟持し、バンド固定部材であるアルミリベット２３により保持板２２と固定バンド３０Ａを固定することによって給水管１０を保持板２２の下面に保持する。アルミリベット２３は補強材２の保持部２１と嵌合する側の保持板２２の端部にのみ固定する（図７（ａ）においては左側のみ）。次に、パネルＰの凹溝３部の保持部２１のリブ２１ａと２１ｂの間に給水管１０を挟持した保持板２２の一端部を嵌合し、他端部を仕切壁４側に設けられた固定用リブ２０に当接する。この状態で固定用リブ２０と固定バンド３０Ａと保持板２２とを固定部材である固定ねじ２４により固定する。このように給水管１０を固定することにより、パネルＰＢと給水管１０を確実に固定することができる。なお、その他の部分は第１実施形態と同じであるので、同一部分には同一符号を付して説明を省略する。
【００６４】
また、給水管１０の別のパネルＰＢへの配設する構造としては、図８（ｂ）に示すように、２個の固定バンド３０Ｂで給水管１０を保持してもよい。この場合、固定バンド３０Ｂは、例えばアルミニウム製の押出形材にて形成されている。固定バンド３０Ｂは、給水管１０の外径半周に嵌合可能な半円弧状の嵌合部３３の両側に水平の外向きフランジ部３１，３２を有する断面略ハット状に形成されている。この場合、一方の外向きフランジ３１の端部側には位置決め用の凹部３１ａが設けられ、他方の外向きフランジ３２の端部側には位置決め用の凸部３２ａが設けられている。２個の固定バンド３０Ｂにそれぞれ設けられた凹部３１ａと凸部３２ａとを嵌合することで、両固定バンド３０Ｂが接合され、嵌合部３３内に給水管１０を挟持（保持）することができる。なお、嵌合部３３の内面の複数箇所例えば３箇所には、保持した給水管１０が不用意に回動しないようにするために、すべり防止突起３４が突設されている。
【００６５】
このように２個の固定バンド３０Ｂで保持された給水管１０を補強材２Ｂから形成されるパネルＰＢへ配設するには、給水管１０を保持部材である２個の固定バンド３０Ｂの嵌合部３３にて挟持し、一方の固定バンド３０Ａの端部に設けられた凸部３２ａを、他方の固定バンド３０Ａの凹部３１ａと嵌合して給水管１０を保持する。
【００６６】
次に、第１実施形態と同様にして形成されたパネルＰＢの凹溝３部の保持部２１のリブ２１ａ，２１ｂ間に、給水管１０を挟持した固定バンド３０Ｂの端部を嵌合し、他方の端部を仕切壁４側に設けられた固定用リブ２０に当接する。この状態で固定用リブ２０と固定バンド３０Ｂとを固定部材である固定ねじ２４により固定する。このように給水管１０を固定することにより、パネルＰＢと給水管１０を確実に固定することができる。なお、その他の部分は第１実施形態と同じであるので、同一部分には同一符号を付して説明を省略する。
【００６７】
上記実施形態では、固定片が固定用リブ２０と保持部２１からなる補強材２Ｂにより、パネルＰＢを形成したが、上述した保持部２１を固定用リブ２０Ｂとしてもよい。例えば、図９に示すように、第１実施形態の補強材２とほぼ同様に形成される補強材２Ｃにおいて、パネルＰの凹溝３部を構成する仕切壁４と側壁９の対向する部位には給水管１０を固定するための固定片である固定用リブ２０と固定用リブ２０Ｂが突設されている。この場合、固定用リブ２０は凹溝３の一方の側壁を構成する仕切壁４の中間部から水平方向に突設されている。一方、固定用リブ２０Ｂは、凹溝３の他方の側壁９の中間部に固定用リブ２０と対向する水平方向に突設されている。固定用リブ２０と固定用リブ２０Ｂは同一平面上に位置する。
【００６８】
給水管１０を補強材２Ｃから形成されるパネルＰＣへ配設するには、まず、図９に示すように、保持部材である保持板２２と固定バンド３０Ａにて給水管１０を挟持し、給水管１０を保持板２２の下面に保持する。次に、保持板２２と固定バンド３０Ａにて挟持した給水管１０の保持板２２の両端部をそれぞれ固定用リブ２０，固定用リブ２０Ｂに当接する。この状態で、固定用リブ２０と固定バンド３０Ａと保持板２２の端部を固定部材である固定ねじ２４により固定し、さらに、固定用リブ２０Ｂと固定バンド３０Ａと保持板２２を固定ねじ２４により固定する。このように給水管１０を固定することにより、パネルＰＣと給水管１０を確実に固定することができる。なお、その他の部分は第１実施形態と同じであるので、同一部分には同一符号を付して説明を省略する。
【００６９】
上記実施形態では、凹溝３内に固定片を突設し、保持部材にて給水管１０を保持し、固定片と保持部材とを固定部材である固定ねじ２４によって固定する場合について説明したが、パネルＰと給水管１０を確実に固定することができれば、別の固定構造としてもよい。例えば、図１０に示すように、パネルＰＤの凹溝３内の底面３ａと側壁９Ｄに下地材２５を固定し、下地材２５と給水管１０を保持する保持部材とを固定部材よって固定してもよい。
【００７０】
この場合、下地材２５は、図１０に示すように、アルミニウム製の押出形材からなり、左垂直片２５ａと対向する右垂直片２５ｃと底部片２５ｂからなる断面略チャンネル状の基部と、右垂直片２５ｄの上端部から水平方向に延在される水平片２５ｄからなる。
【００７１】
パネルＰＤは、図１０に示すように、矩形平板状のアルミニウム製の一対の面材１と、凹溝３内に固定片は突設がされていない補強材２Ｄと、面材１と補強材２Ｄとで形成される空間に介在されるアルミニウム製のコア材１５と、で形成される。
【００７２】
下地材２５をパネルＰＤに固定するには、補強材２Ｄと面材１とコア材１５とを一体ろう付けしてパネルＰＤを形成する前に、補強材２Ｄに下地材２５を固定する。図１０に示すように、補強材２Ｄの凹溝３の底面３ａに、下地材２５の水平片２５ｄを当接し、凹溝３の側面である側壁９Ｄに下地材２５の左垂直片２５ａを当接する。この状態で、凹溝３の底部と平片２５ｄを固定部材である皿ねじ２６により固定し、さらに、側壁９Ｄと左垂直片２５ａを皿ねじ２６により固定する。皿ねじ２６を使用することにより、面材１と補強材２Ｄの間に隙間を生じさせることなく、一体ろう付けすることが可能である。下地材２５が固定された補強材２Ｄと、面材１とコア材１５とを一体ろう付けすることにより、パネルＰＤへ下地材２５を固定することができる。
【００７３】
給水管１０をパネルＰＤへ配設するには、まず、図５（ｂ）に示すように、先端に保持用のループ部３７を有する保持部材である固定バンド３０のループ部３７にて給水管１０を保持する。次に、固定バンド３０の基部を下地材２５の底部片２５ｂに当接し、この状態で底部片２５ｂと固定バンド３０とを固定部材である固定ねじ２４によって固定する。このように給水管１０を固定することにより、パネルＰＤと給水管１０を確実に固定することができる。なお、その他の部分は第１実施形態と同じであるので、同一部分には同一符号を付して説明を省略する。
【００７４】
上記のように構成することにより、パネルＰＤを構成する補強材２Ｄの凹溝３内に下地材２５を配設すると共に、下地材２５を凹溝３内の底面３ａと側壁９Ｄにおいて、固定部材である皿ねじ２６により固定し、給水管１０を保持する保持部材である固定バンド３０と下地材２５とを固定部材である固定ねじ２４によって固定することにより、給水管１０を保持する保持部材を固定する下地材２５の強度を向上させることができるので、パネルＰＤと給水管１０の固定の安定性及び耐久性を向上することができる。
【００７５】
第１実施形態では、パネルＰの短手方向に給水管１０を配設する際、補強材２の凹溝３内に給水管１０を配管し、短手方向の凹溝３の開口部をカバー材７Ａにより閉塞して凹溝内の給水管１０を覆う場合について説明したが、例えば、図１２に示すように、短手方向で対面して連結する２枚のパネルＰＥの連結部７０内に給水管１０を配設してもよい。
【００７６】
この場合、パネルＰＥは、図１２，図１３に示すように、矩形平板状のアルミニウム製の一対の面材１と、面材１間の長手方向に配置されるアルミニウム製の押出形材にて形成される補強材２と、面材１間の短手方向に配置されるアルミニウム製の押出形材にて形成される補強材２Ａと、面材１と補強材２，２Ａとで形成される空間に介在されるアルミニウム製のコア材１５と、で形成されている。なお、補強材２Ａは第２実施形態で使用したものと同様の構造である。この場合、パネルＰＥは、面材１と補強材２と補強材２Ａとコア材１５とを一体ろう付けしたろう付けハニカムパネルにて形成されている。
【００７７】
連結部７０は、図１３に示すように、上述した連結部材５８と、給水管１０の配管空間を確保するアルミニウム製の押出形材からなる上下一対の断面ハット形状の連結用カバー材７１と、上部側の連結用カバー材７１の凸部に嵌挿されるアルミニウム製の押出形材からなるチャンネル形状の下地７２と、パネルＰＥと連結部７０との隙間に充填されるシーリング材５４とで主に構成されている。
【００７８】
給水管１０を２枚のパネルＰＥの長手方向の凹溝３まで配設するには、まず、上記のようにして作製された２枚のパネルＰＥを、短手方向の補強材２Ａが対面し、かつ、面材１及び補強材２が同位置平面上に位置するように並べて、片持梁４３と小梁４２に吊持固定する。なお、２枚のパネルＰＥの間には連結部７０を配置するための空間を設けてある。
【００７９】
次に、給水管１０を連結用カバー材７１に固定する。この場合、連結部７０内に配設される給水管１０は、図１３に示すように、先端に保持用のループ部３７を有する固定バンド３０のループ部３７にて給水管１０を保持する。次に、固定バンド３０の基部を下地７２に当接し、この状態で下地７２と固定バンド３０とを固定ねじ２４によって固定する。給水管１０を固定した下地７２は、上部側の連結用カバー材７１に給水管を下面にして嵌合され固定する。
【００８０】
連結用カバー材７１に固定された給水管１０を連結部７０に配設するには、まず、それぞれのパネルＰＥと連結部材５８を連結する。すなわち、連結部材５８の垂直片５８ａを連結ねじ５９によって補強材２Ａの下部Ｌ型係止片３６ｂに固定する。次に、固定された連結部材５８の上部係止片５８ｂの上面に、上述した給水管１０を固定した連結用カバー材７１のフランジ部を載置し、連結用カバー材７１の両端のフランジ部を連結ねじ５９によって連結部材５８の上部係止片５８ｂと固定する。連結部材５８の下部係止片５８ｃの下面に、もう一方の連結用カバー材７１のフランジ部を当接し、連結ねじ５９によって連結部材５８の下部係止片５８ｃと連結用カバー材７１の両端のフランジ部を固定する。これにより、短手方向にて対面して連結する２枚のパネルＰＥの連結部７０内に給水管１０を配設することができる。
【００８１】
連結部７０内を配管された給水管１０は、図１２に示すように、Ｔ字形継手１２を介することにより直交状に分岐され、２枚のパネルＰＥそれぞれの長手方向の奥手側の端部に沿って配管される。なお、パネルＰＥと連結部７０の間に生じる隙間は、雨水やゴミ等がたまらないよう、シーリング材５４が充填されている。
【００８２】
上記のように構成することにより、連結部７０内に給水管１０を配設できるため、給水管１０の露出部分をなくし、視覚による認識がされにくいため、降温用噴霧システムで使用される給水管１０を景観や意匠に悪影響を及ぼすことなく配置することができる。また、給水管１０が、連結部７０により覆われているため、給水管１０自体が外力により損傷を受けにくい。
【００８３】
上記実施形態では、加圧された水をミストとして下方に噴射する降温用噴霧システムについて説明したが、下方だけではなく外方に加圧された水をミストとして噴射することができる。
【００８４】
例えば上述したパネルＰ，ＰＡ，ＰＢ，ＰＣ，ＰＤ，ＰＥを左右の側壁に設けることにより、加圧された水をミストとして側方に噴射する降温用噴霧システムを構築することが可能である。
【００８５】
また、上記実施形態では、補強材２，２Ａ，２Ｂ，２Ｃ，２Ｄもしくは形材３５は、パネルＰ，ＰＡ，ＰＢ，ＰＣ，ＰＤ，ＰＥの面方向に開口する凹溝３，３Ａ部を有し、加圧された水をミストとして下方に噴射する場合について説明したが、補強材もしくは形材がパネルの外方に開口する凹溝を有していればよい。例えばパネルの枠方向に開口する凹溝を有するように、補強材もしくは形材を形成し、凹溝内に噴霧用ノズル６を有する給水管１０を配設し、加圧された水をミストとして側方に噴射する降温用噴霧システムを構築することも可能である。
【００８６】
また、この発明に係る降温用噴霧用配管を備えるパネルは、屋外だけでなく屋内にも設置可能である。
【符号の説明】
【００８７】
Ｐ，ＰＡ，ＰＢ，ＰＣ，ＰＤ，ＰＥ  パネル
１  面材
２，２Ａ，２Ｂ，２Ｃ，２Ｄ  補強材
３，３Ａ  凹溝
３ａ  底面
６  噴射用ノズル
７，７Ａ  カバー材
８  長孔（開口部）
９Ｄ  側壁（側面）
１０  給水管
２０，２０Ａ，２０Ｂ  固定用リブ（固定片）
２１  保持部（固定片）
２１ａ，２１ｂ  リブ（固定片）
２２  保持板（保持部材）
２３  アルミリベット（保持部材）
２４  固定ねじ（固定部材）
２５  下地材
２６  皿ねじ（固定部材）
３０，３０Ａ，３０Ｂ  固定バンド（保持部材）
３５  形材
【図１】
2011149587.tif 000003
【図２】
2011149587.tif 000004
【図３】
2011149587.tif 000005
【図４】
2011149587.tif 000006
【図５】
2011149587.tif 000007
【図６】
2011149587.tif 000008
【図７】
2011149587.tif 000009
【図８】
2011149587.tif 000010
【図９】
2011149587.tif 000011
【図１０】
2011149587.tif 000012
【図１１】
2011149587.tif 000013
【図１２】
2011149587.tif 000014
【図１３】
2011149587.tif 000015